(57)【要約】      （修正有）【課題】複数の骨つぼ収納部それぞれの視認性に優れ且つ多くの骨つぼを収納可能な集合墓を提供する。【解決手段】集合墓１は、前後左右に亘って配列され、骨つぼ３００を収納する複数の骨つぼ収納部Ｓ１〜Ｓ８を備える。この複数の骨つぼ収納部は、後方にいくほど高さが高くなるように配置され、後部の骨つぼ収納部（例えば、８行目の骨つぼ収納部Ｓ８）は、前部の骨つぼ収納部（例えば、１〜３行の骨つぼ収納部Ｓ１〜Ｓ３）よりも高さ方向に多くの骨つぼを収納する。【選択図】図３
0003223544.tif 000002
【実用新案登録請求の範囲】
【請求項１】
前後左右に亘って配列され、骨つぼを収納する複数の骨つぼ収納部を備え、
前記複数の骨つぼ収納部は、後方にいくほど高さが高くなるように配置され、
後部の前記骨つぼ収納部は、前部の前記骨つぼ収納部よりも高さ方向に多くの前記骨つぼを収納する
ことを特徴とする集合墓。
【請求項２】
前記複数の骨つぼ収納部は、前方から人が進入する通路を挟んだ左右両側、及び当該通路の後側に配置されている
ことを特徴とする請求項１記載の集合墓。
【請求項３】
前記複数の骨つぼ収納部のそれぞれは、通気孔を介して外部と連通している
ことを特徴とする請求項１又は２記載の集合墓。
【請求項４】
前記前部の骨つぼ収納部は、高さ方向に第１の数の前記骨つぼを収納し、
前記後部の骨つぼ収納部は、高さ方向に前記第１の数よりも多い第３の数の前記骨つぼを収納し、
前記前部の骨つぼ収納部と前記後部の骨つぼ収納部との間には、高さ方向に前記第１の数よりも多く且つ前記第３の数よりも少ない数の前記骨つぼを収納する前記骨つぼ収納部が配置されている
ことを特徴とする請求項１から３のいずれか１項記載の集合墓。
【考案の詳細な説明】
【技術分野】
【０００１】
本考案は、複数の骨つぼ収納部を備える集合墓に関する。
【背景技術】
【０００２】
従来、シンボルとしての樹木の周辺に骨つぼを埋葬する樹木葬が知られている。このような樹木葬では、骨つぼは、地中に設けられた骨つぼ収納部に収納される（例えば、特許文献１参照）。
【先行技術文献】
【特許文献】
【０００３】
【特許文献１】実用新案登録第３２０３６５２号公報
【考案の概要】
【考案が解決しようとする課題】
【０００４】
ところで、上述の樹木葬のように骨つぼ収納部の大部分が地中に設けられるものに対し、骨つぼ収納部の大部分が地上に設けられる集合墓のニーズもある。このような集合墓では、例えば前後左右に亘って複数の骨つぼ収納部が配列される。
【０００５】
しかしながら、前後左右に亘って複数の骨つぼ収納部が配列された集合墓は、それぞれの骨つぼ収納部の上面を斜めに視認することはできるが、その他の部分（例えば前部）を視認することができず、前方からの視認性に優れないといえる。また、墓地では、限られたスペースで多くの遺骨（骨つぼ）を埋葬可能にするニーズもある。
【０００６】
本考案の目的は、複数の骨つぼ収納部それぞれの視認性に優れ且つ多くの骨つぼを収納可能な集合墓を提供することである。
【課題を解決するための手段】
【０００７】
１つの態様では、集合墓は、前後左右に亘って配列され、骨つぼを収納する複数の骨つぼ収納部を備え、前記複数の骨つぼ収納部は、後方にいくほど高さが高くなるように配置され、後部の前記骨つぼ収納部は、前部の前記骨つぼ収納部よりも高さ方向に多くの前記骨つぼを収納する。
【考案の効果】
【０００８】
本考案によれば、複数の骨つぼ収納部それぞれの視認性に優れ且つ多くの骨つぼを収納可能な集合墓を提供することができる。
【図面の簡単な説明】
【０００９】
【図１】一実施の形態に係る集合墓及び一対の納骨散骨室を示す斜視図である。
【図２】一実施の形態に係る集合墓を示す平面図である。
【図３】図２のIII−III断面図である。
【図４】一実施の形態における骨つぼの収納方法を説明するための断面図である。
【図５】一実施の形態における骨つぼの収納方法を説明するための斜視図である。
【図６】一実施の形態における骨つぼの収納方法を説明するための平面図である。
【図７】一実施の形態における吊り上げ部材を示す斜視図である。
【考案を実施するための形態】
【００１０】
以下、本考案の実施の形態に係る集合墓について、図面を参照しながら説明する。
図１は、一実施の形態に係る集合墓１及び一対の納骨散骨室１００，１００を示す斜視図である。
【００１１】
図２は、集合墓１を示す平面図である。
図３は、図２のIII−III断面図である。
図１に示すように、集合墓１は、左右一対の納骨散骨室１００，１００の間に配置されている。
【００１２】
集合墓１は、図３に示す骨つぼ３００を収納する複数の骨つぼ収納部Ｓを備える。この複数の骨つぼ収納部Ｓは、例えば、前方から後方へ１〜８行、左方から右方へ１〜１１列に、前後左右に亘って配列されている。図１〜図３では、例えば、８行目・１列目の骨つぼ収納部ＳをＳ８−１と記し、１行目・１１列目の骨つぼ収納部ＳをＳ１−１１と記す。また、図３においては、１〜８行の骨つぼ収納部ＳのそれぞれをＳ１〜Ｓ８と記す。
【００１３】
左方から４列目及び８列目の前方から１〜６行の位置には、前方から人が進入する通路Ｐ（Ｐ１，Ｐ２）が配置されているため、骨つぼ収納部Ｓは配置されていない。すなわち、複数の骨つぼ収納部Ｓは、前方から人が進入する通路Ｐ１，Ｐ２を挟んだ左右両側、及び通路Ｐ１，Ｐ２の後側に配置されているといえる。
【００１４】
１行目の１〜３列の骨つぼ収納部Ｓ１−１，Ｓ１−２，Ｓ１−３の前方、１行目の５〜７列の骨つぼ収納部Ｓ１−５，Ｓ１−６，Ｓ１−７の前方、及び、１行目の９〜１１列の骨つぼ収納部Ｓ１−９，Ｓ１−１０，Ｓ１−１１の前方のそれぞれには、花立ユニット１０が配置されている。この花立ユニット１０は、例えば、左右の花立と、この左右の花立の間に配置される線香台設置部とを有する。
【００１５】
集合墓１の後部には、背面板２０が配置されている。この背面板２０は、８行目の１〜１１列の骨つぼ収納部Ｓ８の後方に亘って位置する。なお、左右一対の納骨散骨室１００，１００のそれぞれの後端と背面板２０との間には、背面板２０と同一平面となるように、開閉しない鋼製デザイン戸が配置されているとよい。
【００１６】
図３に示すように、骨つぼ収納部Ｓは、例えば階段状に、後方にいくほど高さが高くなるように配置されている。また、前部の骨つぼ収納部Ｓ（例えば、１〜３行の骨つぼ収納部Ｓ１〜Ｓ３）は、高さ方向に１段の骨つぼ３００を収納し、中央部の骨つぼ収納部Ｓ（例えば、４〜７行の骨つぼ収納部Ｓ４〜Ｓ７）は、高さ方向に２段の骨つぼ３００を収納し、後部の骨つぼ収納部Ｓ（例えば、８行目の骨つぼ収納部Ｓ８）は、高さ方向に３段の骨つぼ３００を収納する。このように、後部の骨つぼ収納部Ｓ（例えば、８行目の骨つぼ収納部Ｓ８）は、前部の骨つぼ収納部Ｓ（例えば、１〜３行の骨つぼ収納部Ｓ１〜Ｓ３）よりも高さ方向に多くの骨つぼ３００を収納する。
【００１７】
なお、前部の骨つぼ収納部Ｓ（例えば、１〜３行の骨つぼ収納部Ｓ１〜Ｓ３）が高さ方向に収納する骨つぼ３００の数を第１の数（例えば、１段）とし、中央部の骨つぼ収納部Ｓ（例えば、４〜７行の骨つぼ収納部Ｓ４〜Ｓ７）が高さ方向に収納する骨つぼ３００の数を第２の数（例えば、２段）とし、後部の骨つぼ収納部Ｓ（例えば、８行目の骨つぼ収納部Ｓ８）が高さ方向に収納する骨つぼ３００の数を第３の数（例えば、３段）としたとき、「（第１の数）＜（第２の数）＜（第３の数）」の関係を満たすことが望ましい。このように、本実施の形態では、骨つぼ収納部Ｓが高さ方向に収納する骨つぼ３００の数が３段階に変化するが、２段階又は４段階以上に変化してもよい。
【００１８】
それぞれの骨つぼ収納部Ｓは、例えば夫婦１組などの２個の骨つぼ３００を左右方向に収納可能である。そのため、前部の骨つぼ収納部Ｓ（例えば、１〜３行の骨つぼ収納部Ｓ１〜Ｓ３）は、高さ方向に１段、左右方向に２個で、計２個の骨つぼ３００を収納し、中央部の骨つぼ収納部Ｓ（例えば、４〜７行の骨つぼ収納部Ｓ４〜Ｓ７）は、高さ方向に２段、左右方向に２個で、計４個の骨つぼ３００を収納し、後部の骨つぼ収納部Ｓ（例えば、８行目の骨つぼ収納部Ｓ８）は、高さ方向に３段、左右方向に２個で、計６個の骨つぼ３００を収納する。
【００１９】
１〜８行の骨つぼ収納部Ｓ１〜Ｓ８の底部には、底板ＢＰが設けられ、上部には天板ＴＰが設けられている。また、１〜８行の骨つぼ収納部Ｓ１〜Ｓ８の前部には、前壁ＦＷが設けられている。これらの底板ＢＰ、天板ＴＰ、及び前壁ＦＷのそれぞれは、例えば、骨つぼ収納部Ｓごとに設けられている。天板ＴＰは、着脱可能に骨つぼ収納部Ｓの上部に載置されている。なお、１〜８行の底板ＢＰをＢＰ１〜ＢＰ８と記し、１〜８行の天板ＴＰを天板ＴＰ１〜ＴＰ８と記し、１〜８行の前壁ＦＷを前壁ＦＷ１〜ＦＷ８と記す。
【００２０】
前壁ＦＷ１〜ＦＷ８及び上述の背面板２０には、骨つぼ収納部Ｓの前部に２個（１行目の骨つぼ収納部Ｓ１では１個）、後部に２個、通気孔Ｈが設けられている。これにより、例えば、１行目の骨つぼ収納部Ｓ１の前方から流れる空気は、１〜８行の骨つぼ収納部Ｓ１〜Ｓ８を通って８行目の骨つぼ収納部Ｓ８の後方に流れる。すなわち、複数の骨つぼ収納部Ｓのそれぞれは、通気孔Ｈを介して前方及び後方と連通している。なお、通気孔Ｈには、虫などの進入を防止するために、網状の部材が配置されているとよい。また、通気孔Ｈは、骨つぼ収納部Ｓを外部と連通させるものであればよく、骨つぼ収納部Ｓの左側部及び右側部に設けられてもよい。
【００２１】
集合墓１は、地面よりも低い位置において例えばコンクリートが敷き詰められてなるベース部２００上に位置する。そのため、骨つぼ収納部Ｓの底面は地面よりも低い位置に位置するが、骨つぼ収納部Ｓの大部分（底部を除く部分）は地面よりも上方に位置する。なお、ベース部２００には、地中（下方）に水を流すための水抜き孔２００ａが高さ方向にベース部２００を貫通するように複数設けられている。この水抜き孔２００ａは、例えば、前後に並ぶ２つの骨つぼ収納部Ｓの間に設けられ、この２つの骨つぼ収納部Ｓから水を排出する。
【００２２】
図１に示す２個の納骨散骨室１００，１００のそれぞれは、前部の納骨部１１０と、後部の散骨部１２０とが一体に設けられている。
一例ではあるが、納骨部１１０には、前後方向に４行、左右方向に４列、高さ方向に４段、計６４個の骨つぼ３００が収納されている。
【００２３】
散骨部１２０には、遺骨が散骨される。なお、納骨部１１０の左右両側には、内部を開閉する扉が配置されている。また、散骨部１２０の左右両側には、窓が配置されている。納骨部１１０の前方には、花立ユニット１３０が配置されている。この花立ユニット１３０は、花立ユニット１０と同様に、例えば、左右の花立と、この左右の花立の間に配置される線香台設置部とを有する。
【００２４】
以下、上述の集合墓１への骨つぼ３００の収納方法について説明する。
図４〜図６は、骨つぼ３００の収納方法を説明するための断面図、斜視図、及び平面図である。
【００２５】
図７は、吊り上げ部材５００を示す斜視図である。
図４に示すように、例えば、５行目・６列目の骨つぼ収納部Ｓ５−６に骨つぼ３００を収納する場合、この骨つぼ収納部Ｓ５−６は、他の骨つぼ収納部Ｓに囲まれているため、骨つぼ３００の収納が困難といえる。そこで、図４の例では、通路Ｐ１に立つ人と、通路Ｐ２に立つ人とによって骨つぼ３００が骨つぼ収納部Ｓ５−６に収納される。
【００２６】
図５に示すように、骨つぼ３００は、例えばステンレス製の骨つぼ入れ４００に前方から挿入される。図６に示すように、骨つぼ入れ４００は、吊り上げ部材５００によって吊り上げられる。
【００２７】
図７に示すように、吊り上げ部材５００は、鉛直部５０１と、輪５０２と、引っ掛け部５０３〜５０６とを有する。
鉛直部５０１は、吊り上げ部材５００が上げ下げされる方向である高さ方向に真っすぐに延びる。
【００２８】
輪５０２は、鉛直部５０１の上端に設けられ、図４に示すように棒６００を通される。
引っ掛け部５０３〜５０６は、鉛直部５０１の下端から、鉛直方向を回転中心とする回転方向に９０度間隔に合計４つ設けられている。４つの引っ掛け部５０３〜５０６については、同様の構成とすることができるため、引っ掛け部５０３を例に説明する。
【００２９】
引っ掛け部５０３は、鉛直部５０１の下端から水平方向に延び（水平部５０３ａ）、鉛直下方に屈曲して延び（鉛直部５０３ｂ）、隣接する２個の引っ掛け部５０４，５０６の水平部（水平部５０３ａに対応）に平行に屈曲して延び（水平部５０３ｃ）、鉛直上方に屈曲して立ち上がる（立ち上がり部５０３ｄ）。そして、吊り上げ部材５００は、２つの引っ掛け部５０３，５０５の水平部５０３ｃ上に骨つぼ入れ４００の上部の対角線状に延びる２つの線状部分の一方を引っ掛け、他の２つの引っ掛け部５０４，５０６の水平部５０３ｃ上に骨つぼ入れ４００の上部の対角線状に延びる２つの線状部分の他方を引っ掛け可能となっている。
【００３０】
以上のように、通路Ｐ１，Ｐ２に立つ２人の人が吊り上げ部材５００の輪５０２に棒６００を通し、骨つぼ３００が挿入された骨つぼ入れ４００を吊り上げ部材５００で吊り上げ、骨つぼ収納部Ｓに収納する。また、骨つぼ３００（骨つぼ入れ４００）を骨つぼ収納部Ｓから取り出す際にも、通路Ｐ１，Ｐ２に立つ２人の人が吊り上げ部材５００の輪５０２に棒６００を通し、骨つぼ３００が挿入された骨つぼ入れ４００を吊り上げ部材５００で吊り上げ、骨つぼ収納部Ｓから取り出す。なお、通路Ｐ１，Ｐ２のそれぞれに人が立つのではなく、集合墓１の左方と通路Ｐ１とのそれぞれに人が立つこと、或いは、通路Ｐ２と集合墓１の右方とのそれぞれに人が立つことによっても、同様に骨つぼ３００を収納又は取り出すことが可能である。
【００３１】
以上説明した本実施の形態では、集合墓１は、前後左右に亘って配列された複数の骨つぼ収納部Ｓを備える。この複数の骨つぼ収納部Ｓは、骨つぼ３００を収納する。また、複数の骨つぼ収納部Ｓは、後方にいくほど高さが高くなるように配置され、後部の骨つぼ収納部Ｓ（例えば、８行目の骨つぼ収納部Ｓ８）は、前部の骨つぼ収納部Ｓ（例えば、１〜３行の骨つぼ収納部Ｓ１〜Ｓ３）よりも高さ方向に多くの骨つぼ３００を収納する。
【００３２】
このように、複数の骨つぼ収納部Ｓが、後方にいくほど高さが高くなるように配置されることによって、複数の骨つぼ収納部Ｓのそれぞれを前方から認識しやすく、複数の骨つぼ収納部Ｓそれぞれの視認性に優れるといえる。例えば、天板ＴＰにネームプレートが取り付けられる場合、骨つぼ収納部Ｓが後方にいくほど高さが高くなるように（例えば階段状に）配置されていることによって、ネームプレートが極めて視認され易くなる。また、後部の骨つぼ収納部Ｓ（例えば、８行目の骨つぼ収納部Ｓ８）が、前部の骨つぼ収納部Ｓ（例えば、１〜３行の骨つぼ収納部Ｓ１〜Ｓ３）よりも高さ方向に多くの骨つぼ３００を収納することによって、限られたスペースで多くの骨つぼ３００を収納することができる。よって、本実施の形態によれば、複数の骨つぼ収納部Ｓそれぞれの視認性に優れ且つ多くの骨つぼ３００を収納可能な集合墓１を提供することができる。
【００３３】
また、本実施の形態では、複数の骨つぼ収納部Ｓは、前方から人が進入する通路Ｐ１，Ｐ２を挟んだ左右両側、及び通路Ｐ１，Ｐ２の後側に配置されている。これにより、通路Ｐ１，Ｐ２に立つ人によって、骨つぼ３００の骨つぼ収納部Ｓへの収納が容易になる。また、上述のように天板ＴＰにネームプレートが取り付けられる場合、通路Ｐ１，Ｐ２に進入した人がネームプレートを極めて視認し易くなる。或いは、集合墓１の前方に立つ人が、通路Ｐ１，Ｐ２を目印にしてネームプレートを極めて視認し易くなる。
【００３４】
また、本実施の形態では、複数の骨つぼ収納部Ｓのそれぞれは、通気孔Ｈを介して外部（例えば、前方及び後方）と連通している。これにより、骨つぼ収納部Ｓの内部を換気し、湿度が高くなるのを抑制することができる。
【００３５】
また、本実施の形態では、前部の骨つぼ収納部Ｓ（例えば、１〜３行の骨つぼ収納部Ｓ１〜Ｓ３）は、高さ方向に第１の数（例えば１段）の骨つぼ３００を収納し、後部の骨つぼ収納部Ｓ（例えば、８行目の骨つぼ収納部Ｓ８）は、第１の数よりも多い第３の数（例えば、３段）の骨つぼを収納し、前部の骨つぼ収納部Ｓと後部の骨つぼ収納部Ｓとの間には、上記第１の数（例えば１段）よりも多く且つ上記第３の数（例えば３段）よりも少ない数（例えば２段）の骨つぼ３００を収納する中央部の骨つぼ収納部Ｓ（例えば、４〜７行の骨つぼ収納部Ｓ４〜Ｓ７）が配置されている。これにより、高さ方向に収納される骨つぼ３００の数が、前方から後方にかけて少なくとも３段階に変化するため、後方にいくほど高さが高くなる複数の骨つぼ収納部Ｓの配置に合わせて、多くの骨つぼ３００を収納することができる。
【符号の説明】
【００３６】
１    集合墓
１０    花立ユニット
２０    背面板
１００    納骨散骨室
１１０    納骨部
１２０    散骨部
１３０    花立ユニット
２００    ベース部
２００ａ    水抜き孔
３００    骨つぼ
４００    骨つぼ入れ
５００    吊り上げ部材
５０１    鉛直部
５０２    輪
５０３，５０４，５０５，５０６    引っ掛け部
５０３ａ    水平部
５０３ｂ    鉛直部
５０３ｃ    水平部
５０３ｄ    立ち上がり部
６００    棒
ＢＰ    底板
ＦＷ    前壁
Ｈ    通気孔
Ｐ    通路
Ｓ    骨つぼ収納部
ＴＰ    天板
【図１】
0003223544.tif 000003
【図２】
0003223544.tif 000004
【図３】
0003223544.tif 000005
【図４】
0003223544.tif 000006
【図５】
0003223544.tif 000007
【図６】
0003223544.tif 000008
【図７】
0003223544.tif 000009